(57)【特許請求の範囲】
【請求項１】
火災感知器を接続した感知器回線と、住戸内に設置された住宅用受信機を接続した受信機回線とが、戸外に設置された試験端子付中継器において接続され、
この試験端子付中継器に遠隔試験器を接続して動作点検を行う際に、住宅用受信機を感知器回線から切り離すとともに、感知器回線を遠隔試験器に接続して、動作点検を行う集合住宅火災監視システムにおいて、
上記遠隔試験器は、
上記火災感知器からの発報信号を受けたときに、その発報信号が疑似発報による発報信号であるか、実際の火災が発生したことによる発報信号であるかを判断する火災判断回路と、
この火災判断回路によって、実際の火災が発生したことによる発報信号であると判断したときに、発報信号を上記住宅用受信機に対して送出する代替発報回路とを備えて構成されることを特徴とする集合住宅火災監視システム。
【請求項２】
請求項１に記載の集合住宅火災監視システムにおいて、
上記遠隔試験器は、上記火災感知器に対して発報指令信号を送出し、疑似発報させてその動作を試験する感知器動作試験回路を備え、
上記火災判断回路は、上記火災感知器からの発報信号に基づいて、上記疑似発報と実際の発報とを判別して、実際の火災発生を検知する回路として構成され、
上記代替発報回路は、上記火災感知器の動作点検中に、実際の火災が発生した場合に、上記受信機回線を短絡することを特徴とする集合住宅火災監視システム。
【請求項３】
請求項１又は２に記載の集合住宅火災監視システムにおいて、
動作点検を行う際に、上記感知器動作試験回路と上記火災判断回路とが、上記感知器回線に並列に接続されるとともに、
上記代替発報回路が、上記火災判断回路により制御される制御接点であって、住宅用受信機と試験端子付中継器とを接続している受信機回線を短絡する制御接点として構成され、
上記火災判断回路の判断結果に基づいて、動作点検中に、実際の火災が発生した場合には、上記受信機回線を短絡することを特徴とする集合住宅火災監視システム。
【請求項４】
請求項３に記載の集合住宅火災監視システムにおいて、
上記遠隔試験器が、上記受信機回線のインピーダンスを通常状態、短絡状態又は断線状態とするための受信機動作試験回路を更に備え、  住宅用受信機に、感知器回線の短絡又は断線を検知させて、住宅用受信機の動作点検を行うことを特徴とする集合住宅火災監視システム。
【請求項５】
火災感知器を接続した感知器回線と、住戸内に設置された住宅用受信機を接続した受信機回線とが、戸外に設置された試験端子付中継器において接続され、
この試験端子付中継器に遠隔試験器を接続して動作点検を行う際に、住宅用受信機を感知器回線から切り離すとともに、感知器回線を遠隔試験器に接続して、動作点検を行う集合住宅火災監視システムにおいて、
上記遠隔試験器は、上記火災感知器からの発報信号を受けたときに、その発報信号が疑似発報による発報信号であるか、実際の火災が発生したことによる発報信号であるかを判断する火災判断回路と、
この火災判断回路によって、実際の火災が発生したことによる発報信号であると判断したときに、遠隔試験器内において住宅用受信機を感知器回線に接続する試験中断切替手段とを備えて構成されることを特徴とする集合住宅火災監視システム。
【請求項６】
請求項５に記載の集合住宅火災監視システムにおいて、
上記遠隔試験器が、上記火災感知器に対して発報指令信号を送出し、疑似発報させてその動作を試験する感知器動作試験回路を備え、
上記火災判断回路が、上記火災感知器からの発報信号に基づいて、上記疑似発報と実際の発報とを判別して、実際の火災発生を検知する回路として構成され、
上記火災感知器の動作点検中に、実際の火災が発生した場合には、遠隔試験器内において、住宅用受信機を感知器回線に接続することを特徴とする集合住宅火災監視システム。
【請求項７】
請求項５又は６に記載の集合住宅火災監視システムにおいて、
上記遠隔試験器が、受信機回線のインピーダンスを通常状態、短絡状態又は断線状態とするための受信機動作試験回路を更に備え、
住宅用受信機に、感知器回線の短絡又は断線を発報させて、住宅用受信機の動作点検を行うことを特徴とする集合住宅火災監視システム。
【請求項８】
請求項１において、
上記遠隔試験器と上記住宅用受信機とは、試験端子付中継器を介してアドレス伝送回線により接続され、
上記遠隔試験器が、住宅用受信機に設定すべきアドレスを入力するためのアドレス入力手段と、入力されたアドレスを住宅用受信機に対して、送出するアドレス送信回路とを備え、
上記住宅用受信機が、上記遠隔試験器から送出されたアドレスを受信するアドレス受信回路と、受信したアドレスを記憶するアドレス記憶手段とを備え、
上記遠隔試験器により住宅用受信機のアドレスを設定又は変更することを特徴とする集合住宅火災監視システム。
【請求項９】
請求項１において、
試験端子付中継器は、遠隔試験器からの電源供給により、住宅用受信機に対し動作点検中であることを示す試験中信号を出力するように構成され、
上記遠隔試験器は、住宅用受信機に設定すべきアドレスを入力するためのアドレス入力手段と、入力されたアドレスを発報信号用の受信機回線を介して住宅用受信機へ送出するアドレス送信回路とを備え、
上記住宅用受信機は、火災感知器からの発報信号を受信する発報信号受信回路と、遠隔試験器から送出されるアドレスを受信するアドレス受信回路と、受信したアドレスを記憶するアドレス記憶手段と、試験中信号に基づいて、受信機回線を発報信号受信回路又はアドレス受信回路に切り替えて接続するアドレス切替手段を備え、
上記遠隔試験器は、動作点検中に住宅用受信機のアドレスを設定又は変更することを特徴とする集合住宅火災監視システム。
【請求項１０】
請求項９に記載の集合住宅火災監視システムにおいて、
上記遠隔試験器が、上記火災感知器からの発報信号に基づいて、上記疑似発報と実際の発報とを判別して、実際の火災発生を検知する火災判断回路を備え、
この火災判断回路の判断結果に基づいて、上記試験端子付中継器への電源供給を遮断する構成とされ、
動作点検中に実際の火災が発生した場合には、試験端子付中継器への電源供給が遮断されて、試験中信号の出力が停止され、アドレス切替手段が受信機回線を発報信号受信回路に接続することを特徴とする集合住宅火災監視システム。
【発明の詳細な説明】
【０００１】
【発明の属する技術分野】
本発明は、集合住宅火災監視システムに係り、更に詳しくは、試験端子付中継器が戸外に設置され、遠隔試験器をこの試験端子付中継器に接続して、戸外より火災感知器の動作試験を行う集合住宅火災監視システムの改良に関する。
【０００２】
【従来の技術】
近時、遠隔試験器を用いて、戸外から動作点検をできるようにした集合住宅火災監視システムが開発されている。この集合住宅火災監視システムは、図７に示した様に、火災感知器Ｓ１〜Ｓｎを接続した感知器回線Ｌｓ及び住宅用受信機ＨＲが、試験端子付中継器ＴＣにそれぞれ接続されて構成され、動作点検時には、更に、試験端子付中継器ＴＣに遠隔試験器ＲＴが接続される。
【０００３】
火災感知器Ｓ１〜Ｓｎは、各住戸内に設置され、火災によって発生する煙、熱等を検知して、感知器回線Ｌｓへ発報信号を出力するものであり、煙感知器、熱感知器等として構成される。通常、一組の感知器回線Ｌｓには、複数の感知器が接続されるため、各火災感知器を識別するために、各火災感知器にはそれぞれ異なる固有の感知器アドレスが設定されている。
【０００４】
住宅用受信機ＨＲは、発報信号受信回路（不図示）を備え、この発報信号受信回路が感知器回線Ｌｓを監視し、火災感知器Ｓ１〜Ｓｎからの発報信号を受信すると、火災の発生を報知するものである。この火災報知は、警報音又は警報メッセージの出力や、他の発報設備又は防火設備への通報等により行われる。
また、感知器回線Ｌｓの監視により、感知器回線Ｌｓの断線を検出すると、断線の発生を報知する。さらに、図示した住宅用受信機ＨＲは、インターホンとしての機能を備えたセキュリティインターホンであり、玄関に設置されたドアホン子器ＤＰと通話線Ｌｔにより接続されている。
【０００５】
ここで、感知器回線Ｌｓは、２線式の信号線であり、火災感知器Ｓ１〜Ｓｎが並列に接続され、その終端には終端抵抗Ｒｔが設けられている。また、各火災感知器Ｓ１〜Ｓｎは、感知器回線Ｌｓを短絡することにより、発報信号を出力する。このため、住宅用受信機ＨＲは、感知器回線Ｌｓのインピーダンスを監視すれば、発報信号の有無及び断線発生の有無を検出することができる。
【０００６】
即ち、感知器回線Ｌｓのインピーダンスが終端抵抗Ｒｔよりも十分に小さくなれば、発報信号が出力されていると判断することができる一方、終端抵抗Ｒｔよりも十分に大きくなれば、感知器回線Ｌｓに断線が生じたと判断することができる。また、終端抵抗Ｒｔとほぼ同じであれば、発報信号が出力されず、断線も発生していないと判断することができる。
【０００７】
試験端子付中継器ＴＣには、感知器回線Ｌｓが接続されており、また、住宅用受信機ＨＲが受信機回線Ｌｒを介して接続されている。この試験端子付中継器ＴＣは、各住戸の玄関口等の戸外に設置されており、動作点検を行う際には、点検作業者が、戸外において試験端子付中継器ＴＣに遠隔試験器ＲＴを接続する。
動作点検時以外の通常時には、試験端子付中継器ＴＣの内部において、感知器回線Ｌｓと受信機回線Ｌｒとが電気的に接続されている。即ち、火災感知器Ｓ１〜Ｓｎは、試験端子付中継器ＴＣを介して住宅用受信機ＨＲに接続されている。一方、動作点検時には、その内部において、感知器回線Ｌｓと受信機回線Ｌｒが切り離されて、各々が遠隔試験器ＲＴに接続される。
【０００８】
この様子を図８に示す。試験端子付中継器ＴＣは、遠隔試験器ＲＴが接続される複数の試験端子Ｊ１〜Ｊ９と、感知器回線Ｌｓが接続される感知器用端子Ｌ、Ｃと、住宅用受信機ＨＲが接続される複数の受信機用端子Ｔ１〜Ｔｎを備え、更に、必要に応じて、火災の報知等を行う住棟受信機（不図示）等に接続するための端子も設けられる。
【０００９】
試験端子Ｊ１〜Ｊ９に遠隔試験器ＲＴが接続され、試験端子Ｊ１から試験用電源が供給されると、制御コイルＬｃによって制御される制御接点ＲＹａ、ＲＹｂが動作するとともに、発光ダイオードＤにより制御される制御接点ＲＹｃが動作する。図示した各制御接点ＲＹａ、ＲＹｂの状態は、遠隔試験器ＲＴを接続していない場合の状態であり、感知器用端子Ｌ、Ｃは、受信機用端子Ｔ１、Ｔ２にそれぞれ接続されているが、試験端子Ｊ１〜Ｊ９に遠隔試験器ＲＴが接続されて試験用電源が供給された場合には、感知器用端子Ｌ、Ｃは、受信機用端子Ｔ１、Ｔ２と切り離されて、試験端子Ｊ８、Ｊ９にそれぞれ接続される。
【００１０】
なお、制御接点ＲＹｃは、受信機用端子Ｔ３及びＴ４を短絡することによって、住宅用受信機ＨＲに対して、試験中であることを示すものであり、短絡状態が試験中信号として住宅用受信機ＨＲにおいて検出される。
次に、遠隔試験器ＲＴによる動作点検について図９を用いて説明する。この図は、動作点検時における従来の集合住宅火災監視システムの一例を示したものであり、試験端子付中継器ＴＣは、配線関係のみを簡略化して示している。
【００１１】
図示した遠隔試験器ＲＴは、受信機動作試験回路ＥＸｒと、感知器動作試験回路ＥＸｓとを備えて構成される。動作点検時には、受信機動作試験回路ＥＸｒは、中継器ＴＣ及び受信機回線Ｌｒを介して住宅用受信機ＨＲに接続され、感知器動作試験回路ＥＸｓは、中継器ＴＣ及び感知器回線Ｌｓを介して火災感知器Ｓに接続される。
【００１２】
受信機動作試験回路ＥＸｒは、住宅用受信機ＨＲの動作点検を行う回路であり、スイッチング手段ＳＷ１、ＳＷ２及び抵抗Ｒｔ’より構成される。
スイッチング手段ＳＷ１及びＳＷ２をともにオフ状態とすれば、受信機回線Ｌｒはハイインピーダンス状態となり、住宅用受信機ＨＲは、断線警報を発報する。この状態から、スイッチング手段ＳＷ２のみをオン状態とすれば、受信機回線Ｌｒのインピーダンスは、抵抗Ｒｔ’の抵抗値となるが、この抵抗値を終端抵抗Ｒｔと同じ値にしておけば、住宅用受信機ＨＲは、断線検出による発報を停止する。一方、スイッチング手段ＳＷ１をオン状態とすれば、受信機回線Ｌｒは短絡状態となり、発報信号を受信したと判断して、火災警報を発報する。
【００１３】
この様にして、スイッチング手段ＳＷ１、ＳＷ２をオン又はオフした時の住宅用受信機ＨＲの発する警報音等を確認することにより、住宅用受信機ＨＲの動作点検を行うことができる。
感知器動作試験回路ＥＸｓは、火災感知器Ｓの動作点検を行う回路であり、火災感知器Ｓに対して、感知器回線Ｌｓを通じて発報指令信号を送出する。複数の火災感知器Ｓが感知器回線Ｌｓに接続されている場合には、この発報指令信号は、点検対象となる火災感知器Ｓを特定するための感知器アドレスを含む信号とされる。
【００１４】
この発報指令信号を受信した火災感知器Ｓは、疑似発報を行う。この疑似発報は、発報指令信号を受信してからの短い一定時間、例えば１秒間、発報信号を出力することにより行われる。
感知器動作試験回路ＥＸｓは、この発報信号を検出して、火災感知器Ｓが正常に動作していることを点検することができる。複数の火災感知器Ｓ１〜Ｓｎが感知器回線Ｌｓに接続されている場合には、各火災感知器のアドレスを順に指定して、同様の動作点検を行うことにより、全ての火災感知器Ｓ１〜Ｓｎの動作点検を行うことができる。
【００１５】
【発明が解決しようとする課題】
しかしながら、従来の集合住宅火災監視システムにおいては、遠隔試験器ＲＴによる戸外からの動作点検中に、住戸内において実際に火災が発生した場合には、住宅用受信機ＨＲが火災感知器Ｓ１〜Ｓｎからの発報信号を受信することができず、火災警報を発することができないという問題があった。
【００１６】
即ち、従来の集合住宅火災監視システムでは、遠隔試験器ＲＴを試験端子付中継器ＴＣに接続して、動作点検を行っている場合には、感知器回線Ｌｓ及び受信機回線Ｌｒがともに遠隔試験器ＲＴに接続され、これらの回線は、試験端子付中継器ＴＣ内で接続されていない。
このため、火災感知器Ｓ１〜Ｓｎの動作点検において、火災感知器が、疑似発報により発報信号を出力した場合であっても、住宅用受信機ＨＲが、誤って火災警報を発報することはない。
【００１７】
しかしながら、動作点検中に、実際に火災が発生し、これを火災感知器が検知して、発報信号を出力している場合においても、火災感知器からの発報信号が住宅用受信機ＨＲへ伝送されることはない。従って、動作点検中に火災が発生した場合には、火災警報を報知することができないという問題があった。
また、大規模の集合住宅では、各住戸に設置された住宅用受信機ＨＲが、住棟受信機や警報監視盤等に接続されて統合されている場合がある。この様な場合には、各住宅用受信機ＨＲごとに、それぞれ異なる固有の住戸アドレスを設定して、各住戸の住宅用受信機ＨＲを識別する必要がある。このため、従来の住宅用受信機ＨＲが、ディップスイッチ等を備えて、各住宅用受信機ＨＲごとに、住戸アドレスの設定を行っていた。
【００１８】
しかしながら、上記住戸アドレスの設定又は変更が、遠隔試験器ＲＴによって行うことができれば、住戸住人が不在であっても、戸外から住宅用受信機ＨＲに住戸アドレスの設定、変更を行うことができるので便利である。
本発明は、上記の事情に鑑みてなされたもので、遠隔試験器による戸外からの動作点検中に、住戸内において実際に火災が発生した場合には、住宅用受信機が発報信号を受信することができる集合住宅火災監視システムを提供することを第一の目的とする。
【００１９】
また、住戸内に設置された住宅用受信機の住戸アドレスを遠隔試験器により戸外から設定又は変更できる集合住宅火災監視システムを提供することを第二の目的とする。
【００２０】
【課題を解決するための手段】
請求項１に記載した本発明による集合住宅火災監視システムは、火災感知器を接続した感知器回線と、住戸内に設置された住宅用受信機を接続した受信機回線とが、戸外に設置された試験端子付中継器において接続され、この試験端子付中継器に遠隔試験器を接続して動作点検を行う際に、住宅用受信機を感知器回線から切り離すとともに、感知器回線を遠隔試験器に接続して、動作点検を行う集合住宅火災監視システムにおいて、上記遠隔試験器は、上記火災感知器からの発報信号を受けたときに、その発報信号が疑似発報による発報信号であるか、実際の火災が発生したことによる発報信号であるかを判断に基づいて、火災の発生を検知する火災判断回路と、この火災判断回路によって、実際の火災が発生したことによる発報信号であると判断したときにの検知結果に基づいて、発報信号を上記住宅用受信機に対して送出する代替発報回路とを備えて構成される。
【００２１】
請求項２に記載した本発明による集合住宅火災監視システムは、請求項１に記載の集合住宅火災監視システムにおいて、上記遠隔試験器は、上記火災感知器に対して発報指令信号を送出し、疑似発報させてその動作を試験する感知器動作試験回路を備え、
上記火災判断回路は、上記火災感知器からの発報信号に基づいて、上記疑似発報と実際の発報とを判別して、実際の火災発生を検知する回路として構成され、上記代替発報回路は、上記火災感知器の動作点検中に、実際の火災が発生した場合に、上記受信機回線を短絡する構成とされる。
【００２２】
請求項３に記載した本発明による集合住宅火災監視システムは、請求項１又は２に記載の集合住宅火災監視システムにおいて、動作点検を行う際に、遠隔試験器の上記感知器動作試験回路と上記火災判断回路とが、上記感知器回線に並列に接続されるとともに、上記代替発報回路が、上記火災判断回路により制御される制御接点であって、住宅用受信機と試験端子付中継器とを接続している受信機回線を短絡するスイッチング手段として構成され、上記火災判断回路の発報信号に基づいて、動作点検中に、実際の火災が発生した場合には、上記受信機回線を短絡する構成とされる。
【００２３】
請求項４に記載した本発明による集合住宅火災監視システムは、請求項３に記載の集合住宅火災監視システムにおいて、上記遠隔試験器が、上記受信機回線を通常状態、短絡状態又は断線状態とするための受信機動作試験回路を更に備え、住宅用受信機に、感知器回線の短絡又は断線を検知させて、住宅用受信機の動作点検を行う構成とされる。
【００２４】
請求項５に記載した本発明による集合住宅火災監視システムは、火災感知器を接続した感知器回線と、住戸内に設置された住宅用受信機を接続した受信機回線とが、戸外に設置された試験端子付中継器において接続され、この試験端子付中継器に遠隔試験器を接続して動作点検を行う際に、住宅用受信機を感知器回線から切り離すとともに、感知器回線を遠隔試験器に接続して、動作点検を行う集合住宅火災監視システムにおいて、
上記遠隔試験器は、上記火災感知器からの発報信号を受けたときに、その発報信号が疑似発報による発報信号であるか、実際の火災が発生したことによる発報信号であるかを判断に基づいて、火災の発生を検知する火災判断回路と、この火災判断回路によって、実際の火災が発生したことによる発報信号であると判断したときに、遠隔試験器内において、住宅用受信機を感知器回線に接続する試験中断切替手段とを備えて構成される。
【００２５】
請求項６に記載した本発明による集合住宅火災監視システムは、請求項５に記載の集合住宅火災監視システムにおいて、上記遠隔試験器が、上記火災感知器に対して発報指令信号を送出し、疑似発報させてその動作を試験する感知器動作試験回路を備え、上記火災判断回路が、上記火災感知器からの発報信号に基づいて、上記疑似発報と実際の発報とを判別して、実際の火災発生を検知する回路として構成され、上記火災感知器の動作点検中に、実際の火災が発生した場合には、遠隔試験器内において、住宅用受信機を感知器回線に接続することを特徴とする集合住宅火災監視システム。
【００２６】
請求項７に記載した本発明による集合住宅火災監視システムは、請求項５又は６に記載の集合住宅火災監視システムにおいて、上記遠隔試験器が、受信機回線を通常状態、短絡状態又は断線状態とするための受信機動作試験回路を更に備え、住宅用受信機に、感知器回線の短絡又は断線を検知させて、住宅用受信機の動作点検を行う構成とされる。
【００２７】
請求項８に記載した本発明による集合住宅火災監視システムは、請求項１において、火災感知器を接続した感知器回線と、住戸内に設置された住宅用受信機とが、戸外に設置された試験端子付中継器において接続され、この試験端子付中継器に遠隔試験器を接続して動作点検を行う集合住宅火災監視システムにおいて、上記遠隔試験器と上記住宅用受信機とはが、試験端子付中継器を介してアドレス伝送回線により接続され、上記遠隔試験器が、住宅用受信機に設定すべきアドレスを入力するためのアドレス入力手段と、入力されたアドレスを住宅用受信機に対して、送出するアドレス送信回路とを備え、上記住宅用受信機が、上記遠隔試験器から送出されたアドレスを受信するアドレス受信回路と、受信したアドレスを記憶するアドレス記憶手段とを備え、上記遠隔試験器により住宅用受信機のアドレスを設定又は変更する構成とされる。
【００２８】
請求項９に記載した本発明による集合住宅火災監視システムは、請求項１において、試験端子付中継器は、遠隔試験器からの電源供給により、住宅用受信機に対し動作点検中であることを示す試験中信号を出力するように構成され、上記遠隔試験器は、住宅用受信機に設定すべきアドレスを入力するためのアドレス入力手段と、入力されたアドレスを発報信号用の受信機回線を介して住宅用受信機へ送出するアドレス送信回路とを備え、上記住宅用受信機は、火災感知器からの発報信号を受信する発報信号受信回路と、遠隔試験器から送出されるアドレスを受信するアドレス受信回路と、受信したアドレスを記憶するアドレス記憶手段と、試験中信号に基づいて、受信機回線を発報信号受信回路又はアドレス受信回路に切り替えて接続するアドレス切替手段を備え、上記遠隔試験器は、動作点検中に住宅用受信機のアドレスを設定又は変更する構成とされる。
【００２９】
請求項１０に記載した本発明による集合住宅火災監視システムは、請求項９に記載の集合住宅火災監視システムにおいて、上記遠隔試験器が、上記火災感知器からの発報信号に基づいて、上記疑似発報と実際の発報とを判別して、実際の火災発生を検知する火災判断回路を備え、この火災判断回路判断結果に基づいて、上記試験端子付中継器への電源供給を遮断しする構成とされ、動作点検中に実際の火災が発生した場合には、試験端子付中継器への電源供給が遮断されて、試験中信号の出力が停止され、アドレス切替手段が受信機回線を発報信号受信回路に接続する構成とされる。
【００３０】
ここで、アドレス入力手段とは、アドレス送信手段に対してアドレスを与える手段であり、アドレスを直接入力する手段に限定されず、他の手段により入力されたアドレスが転送され、それを記憶保持している手段等も含まれる。
また、住宅用受信機の発報とは、住宅用受信機自体が警報音などを発する場合のみならず、住宅用受信機が、他の発報装置に対して発報信号を送出して、その発報装置に警報音を発生させ、或は、警報表示を行わせる等の動作も含まれる。
【００３１】
【発明の実施の態様】
請求項１、２及び３に記載した本発明による集合住宅火災監視システムの一構成例を図１に示す。この集合住宅火災監視システムは、試験端子付中継器ＴＣに、感知器回線Ｌｓを介して複数の火災感知器Ｓが接続され、また、受信機回線Ｌｒを介して住宅用受信機ＨＲが接続されて構成されており、このシステムの動作点検時には、更に、中継器ＴＣの試験端子Ｊ１〜Ｊ９に、遠隔試験器ＲＴが接続される。ここで、上記の火災感知器Ｓ、住宅用受信機ＨＲ、試験端子付中継器ＴＣは図８に示した集合住宅火災監視システムと同様のものである。
【００３２】
上記遠隔試験器ＲＴは、電源回路ＶＳと、電源投入スイッチＳＷ３と、リレー制御回路ＲＣと、感知器動作試験回路ＥＸｓと、火災判断回路ＦＪと、代替発報回路としての制御接点ＲＹ１と、抵抗Ｒｔ’と、試験端子Ｊ１〜Ｊ９とを備えて構成される。
電源回路ＶＳは、遠隔試験器ＲＴ及び試験端子付中継器ＴＣに電源を供給する回路であり、電池により構成することができる。この電源供給は、電源投入スイッチＳＷ３及び試験端子Ｊ１等を介して行われる。
【００３３】
即ち、この電源回路ＶＳから試験端子付中継器ＴＣへの電源供給は、電源投入スイッチＳＷ３が操作されてオン状態となり、更に、遠隔試験器ＲＴの試験端子Ｊ１が、試験端子付中継器ＴＣの試験端子Ｊ１に接続された状態でのみ行われることは、もちろんであるが、遠隔試験器ＲＴ内のリレー制御回路ＲＣ等への電源供給についても、試験端子Ｊ２から行われるので、電源投入スイッチＳＷ３がオン状態となり、かつ、遠隔試験器ＲＴ及び試験端子付中継器ＴＣの試験端子Ｊ１、Ｊ２が接続されている状態でのみ行われる。
【００３４】
リレー制御回路ＲＣは、制御コイルＬｃ及び発光ダイオードＤへの印加電圧を制御する制御回路であり、制御接点ＲＹｃがオン状態となり、試験中信号が出力される前に、制御接点ＲＹａ、ＲＹｂが動作して、感知器回線Ｌｓと受信機回線Ｌｒが切り離されて、住宅用受信機ＨＲが断線警報を発報するのを防止するための回路である。
【００３５】
感知器動作試験回路ＥＸｓは、図９に示した感知器動作試験回路と同様のものであり、動作点検時には、試験端子付中継器ＴＣを介して感知器回線Ｌｓに接続されて、火災感知器Ｓの動作点検を行う。この動作点検は、火災感知器Ｓに対して発報指令信号を送出し、疑似発報による発報信号を検出することにより行われる。
【００３６】
火災判断回路ＦＪは、動作点検時に、試験端子付中継器ＴＣを介して感知器回線Ｌｓに接続され、感知器回線Ｌｓを監視する。そして、火災感知器Ｓからの発報信号を受信すると、その信号が、疑似発報による発報信号であるのか、実際の火災が発生したことによる発報信号であるのかを判別する。
例えば、疑似発報による発報信号が、パルス幅が１秒以下の短いパルス信号であるならば、火災が検出されている間送出され続ける実際の火災による発報信号とは、そのパルス幅によって区別することができる。この様にして実際の火災発生時であると判断した場合には、代替発報手段としての制御接点ＲＹ１を作動させてオン状態とする。
【００３７】
制御接点ＲＹ１と抵抗Ｒｔ’は、動作点検時には、受信機回線Ｌｒに接続され、火災判断回路ＦＪの判断結果に基づいて、制御接点ＲＹ１がオン状態又はオフ状態となり、オン状態の場合には、受信機回線Ｌｒが短絡され、オフ状態の場合には、受信機回線Ｌｒのインピーダンスが抵抗Ｒｔ’のインピーダンスとなる。ここで、抵抗Ｒｔ’の抵抗値は、感知器回線Ｌｓの終端抵抗Ｒｔの抵抗値と同じ値とする。
【００３８】
この様な遠隔試験器ＲＴを使用して、火災感知器Ｓの動作点検を戸外より行っている場合に、点検対象である住戸内において火災が発生した場合の動作について図２を用いて説明する。図２は、図１に示した集合住宅火災監視システムの動作点検時の構成のみを簡略化して示したブロック図である。
図示した構成は、動作点検時のものであり、感知器回線Ｌｓは、試験端子付中継器ＴＣを介して、遠隔試験器ＲＴ内の感知器動作試験回路ＥＸｓ及び火災判断回路ＦＪに接続されており、受信機回線Ｌｒは、試験端子付中継器ＴＣを介して、遠隔試験器ＲＴ内の制御接点ＲＹ１に接続されている。
【００３９】
火災感知器Ｓの動作試験中は、感知器動作試験回路ＥＸｓからの発報指令信号を受信した火災感知器Ｓが、疑似発報により発報信号を送出する。この状態において、住戸内で火災が発生した場合、火災感知器は、実際の火災による発報信号を送出する。
一方、火災判断回路ＦＪは、感知器回線Ｌｓにより伝送される発報信号を監視し、この発報信号が実際の火災による発報信号であるか否かを判別する。この結果、火災発生による発報信号であると判断すれば、制御接点ＲＹ１を作動させて、オン状態とし、受信機回線Ｌｒを短絡する。
【００４０】
受信機回線Ｌｒが短絡されると、住宅用受信機ＨＲは、火災感知器Ｓからの発報信号であると認識して火災警報を発報するが、制御接点ＲＹ１がオフ状態であれば、抵抗Ｒｔ’の抵抗値が終端抵抗Ｒｔと等しいので、火災警報も断線警報も発報しない。
従って、火災感知器の動作点検中に、実際の火災が発生し、これを感知した火災感知器が発報した場合には、遠隔試験器が火災感知器に代わって、発報信号を送信するので、住宅用受信機が火災警報を発報することができる。
【００４１】
なお、住宅用受信機ＨＲが火災警報、断線警報等を発報する方法としては、住宅用受信機ＨＲ自体が警報音などを発する場合のみならず、例えば、ドアホン子器ＤＰと接続されている場合には、ドアホン子器ＤＰから警報音を発し、或は、ドアホン子器ＤＰに火災警報が表示される場合のように、他の機器に対して発報信号を送出するようなものも含まれる。
【００４２】
請求項４に記載した本発明による集合住宅火災監視システムの一構成例を図３に示す。この図は、動作点検時の構成のみを簡略化して示したブロック図である。
この集合住宅火災監視システムは、図１に示した集合住宅火災監視システムの遠隔試験器ＲＴに更に受信機動作試験回路ＥＸｒを設けたものである。
【００４３】
この受信機動作試験回路ＥＸｒは、上記制御接点ＲＹ１に並列に接続され、動作点検時には、試験端子付中継器ＴＣを介して、受信機回線Ｌｒに接続される。また、受信機動作試験回路ＥＸｒは、従来の受信機動作試験回路と同様、スイッチング手段ＳＷ１、ＳＷ２と、感知器回線Ｌｓの終端抵抗と同じ抵抗値の抵抗Ｒｔ’とにより構成され、スイッチング手段ＳＷ１は、スイッチング手段ＳＷ２及び抵抗Ｒｔ’との直列接続回路と並列に接続される。
【００４４】
従って、制御接点ＲＹ１がオフ状態であれば、前述した遠隔試験器ＲＴと全く同様にして、スイッチング手段ＳＷ１及びＳＷ２をともにオフ状態とすれば、住宅用受信機ＨＲは、断線警報を発報する。この状態から、スイッチング手段ＳＷ２のみをオン状態とすれば、住宅用受信機ＨＲは、断線検出による発報を停止する一方、スイッチング手段ＳＷ１をオン状態とすれば、火災警報を発報する。
【００４５】
本発明による集合住宅火災監視システムは、この様な住宅用受信機ＨＲの動作試験機能を備えつつ、動作試験中に、実際の火災が発生した場合には、制御接点ＲＹ１がオン状態となって、発報信号を住宅用受信機ＨＲに対して送出することができる。
即ち、遠隔試験器ＲＴに受信機動作試験回路ＥＸｒを設けることにより、火災感知器及び住宅用受信機の動作試験を行うことができ、かつ、動作試験中に実際の火災が発生すれば、住宅用受信機ＨＲが火災警報を発報することができる。
【００４６】
請求項５、６及び７に記載した本発明による集合住宅火災監視システムの一構成例を図４に示す。この図は、動作点検時の構成のみを簡略化して示したブロック図である。
この集合住宅火災監視システムは、図９に示した集合住宅火災監視システムの遠隔試験器ＲＴに火災判断回路ＦＪと、試験中断切替手段としての制御接点ＲＹ２を設けて構成される。
【００４７】
制御接点ＲＹ２は、火災判断回路ＦＪの判断結果に基づいて、全ての制御接点が連動して、接点ａ又は接点ｂに切り替わる連動制御接点であり、接点ａ側に接続されているときには、感知器回線Ｌｓに感知器動作試験回路ＥＸｓが接続されるとともに、受信機回線Ｌｒに受信機回線Ｌｒに受信機動作試験回路ＥＸｒが接続される。
【００４８】
一方、接点ｂ側に接続されているときには、感知器回線Ｌｓから感知器動作試験回路ＥＸｓが切り離され、受信機回線Ｌｒから受信機動作試験回路ＥＸｒが切り離されるとともに、感知器回線Ｌｓと受信機回線Ｌｒとが接続される。
火災判断回路ＦＪは、制御接点ＲＹ２には関係なく、動作点検中は、感知器回線Ｌｓに接続され、火災感知器Ｓからの発報信号が、疑似発報による発報信号であるのか、実際の火災による発報信号であるのかを判別する。
【００４９】
制御接点ＲＹ２は、通常、接点ａ側に接続されており、感知器動作試験回路ＥＸｓ及び受信機動作試験回路ＥＸｒが、それぞれ火災感知器Ｓ又は住宅用受信機ＨＲの動作点検を行うことができる。この時、実際の火災が発生すれば、その発報信号を火災判断回路ＦＪが判別して、制御接点ＲＹ２を作動させ、接点ｂ側に接続させる。これにより、感知器回線Ｌｓと受信機回線Ｌｒとが接続されて、火災感知器Ｓから送出される発報信号は、住宅用受信機ＨＲへ伝送され、住宅用受信機ＨＲは、火災警報を発報する。
【００５０】
即ち、動作点検中は、試験端子付中継器ＴＣ内の制御接点ＲＹａ、ＲＹｂが作動して、住宅用受信機ＨＲは、感知器回線Ｌｓから切り離されて、火災感知器Ｓ及び住宅用受信機ＨＲの動作点検を行うことができる一方、動作点検中に火災が発生した場合には、遠隔試験器ＲＴ内の制御接点ＲＹ２が作動して、住宅用受信機ＨＲを感知器回線Ｌｓに接続して、住宅用受信機ＨＲが火災警報を発報することができる。
【００５１】
請求項８に記載した本発明による集合住宅火災監視システムの一構成例を図５に示す。この集合住宅火災監視システムは、図１に示した集合住宅火災監視システムにおいて、遠隔試験器ＲＴにアドレス入力手段ＡＩ及びアドレス送信回路ＡＳを設け、住宅用受信機ＨＲにアドレス受信回路ＡＲ及びアドレス記憶手段ＡＭを設け、遠隔試験器ＲＴ、試験端子付中継器ＴＣ及び住宅用受信機ＨＲのそれぞれにアドレス伝送用の端子Ｊ１０、Ｊ１１、Ｔａ、Ｔｂを設けて構成される。
【００５２】
アドレス入力手段ＡＩは、住宅用受信機ＨＲに設定すべき住戸アドレスを入力する入力手段であり、テンキー等のスイッチング手段によって構成することができ、また、パーソナルコンピュータ等の他の入力手段により入力され、転送された住戸アドレスを記憶する手段として構成することもできる。
アドレス送信回路ＡＳは、アドレス入力手段から与えられる住戸アドレスを、アドレス信号として送出する回路であり、このアドレス信号は、住宅用受信機ＨＲへ伝送される。
【００５３】
アドレス記憶手段ＡＭは、住宅用受信機ＨＲに設定された住戸アドレスを保持する記憶手段であり、アドレス受信回路ＡＲが受信したアドレス信号に基づいて、住戸アドレスを格納する。
試験端子付中継器ＴＣには、アドレス伝送専用の端子Ｊ１０、Ｊ１１、Ｔａ、Ｔｂが設けられており、試験端子Ｊ１０、Ｊ１１は、遠隔試験器ＲＴと接続され、端子Ｔａ、Ｔｂは、住宅用受信機ＨＲと接続される。従って、動作試験中は、遠隔試験器ＲＴのアドレス送信回路ＡＳと住宅用受信機ＨＲのアドレス受信回路ＡＲとが専用線により接続される。
【００５４】
この様な構成とすることにより、アドレス入力手段ＡＩにより与えられる住戸アドレスは、アドレス送信回路ＡＳによりアドレス信号として、試験中信号付中継器ＴＣを介して住宅用受信機ＨＲへ伝送され、アドレス受信回路ＡＲがこのアドレス信号を受信すれば、住戸アドレスはアドレス記憶手段ＡＭへ格納される。この様にして、遠隔試験器ＲＴにより戸外から住宅用受信機ＨＲに住戸アドレスを設定し、或は、変更することができる。
【００５５】
請求項９に記載した本発明による集合住宅火災監視システムの一構成例を図６に示す。この集合住宅火災監視システムは、図１に示した集合住宅火災監視システムにおいて、遠隔試験器ＲＴにアドレス入力手段ＡＩ及びアドレス送信回路ＡＳを設け、住宅用受信機ＨＲにアドレス受信回路ＡＲ、アドレス記憶手段ＡＭ、制御コイルＬｊ及び制御接点ＲＹ３を設けて構成され、アドレス伝送専用の端子及び信号線は設けられていない。
【００５６】
アドレス入力手段ＡＩ及びアドレス送信回路ＡＳは図５に示した集合住宅火災監視システムに使用されているものと同様のものであるが、アドレス送信回路ＡＳは、遠隔試験器ＲＴの試験端子Ｊ６、Ｊ７に接続されており、アドレス送信回路ＡＳから送出されるアドレス信号は、試験端子付中継器ＴＣの端子Ｔ１、Ｔ２を介して住宅用受信機ＨＲへ伝送される。即ち、アドレス伝送用の専用回線を設けることなく、受信機回線Ｌｒを使用してアドレス信号を伝送する。
【００５７】
また、アドレス受信回路ＡＲ及びアドレス記憶手段ＡＭも図５に示した集合住宅火災監視システムに使用されているものと同様のものであるが、アドレス受信回路ＡＲは、制御接点ＲＹ３を介して受信機回線Ｌｒに接続されている。
発報信号受信回路ＤＲは、火災感知器Ｓからの発報信号を受信する回路であり、従来の集合住宅火災監視システムにおける住宅用受信機ＨＲにおいて使用されているものと同様のものである。
【００５８】
制御コイルＬｊは、試験端子付中継器ＴＣから端子Ｔ３、Ｔ４を介して住宅用受信機ＨＲへ入力される試験中信号に基づいて、アドレス切替手段としての制御接点ＲＹ３を駆動するコイルである。
制御接点ＲＹ３は、制御コイルＬｊの制御により、受信機回線Ｌｒを発報信号受信回路ＤＲ又はアドレス受信回路ＡＲのいずれかに接続する。即ち、試験中信号が出力されていない場合には、発報信号受信機ＤＲを受信機回線Ｌｒに接続する一方、試験中信号が出力されている場合には、発報信号受信機ＤＲを受信機回線Ｌｒに接続する。
【００５９】
この様な集合住宅火災監視システムは、動作試験時以外の通常時には、試験中信号が出力されていないので、発報信号受信回路ＤＲが、受信機回線Ｌｒに接続されて、住宅用受信機ＨＲが、火災感知器Ｓからの発報信号を受信することができ、火災警報を発報することができる。
また、遠隔試験器ＲＴを試験端子付中継器ＴＣに接続して、スイッチング手段ＳＷ３をオン状態とすれば、試験端子Ｊ１から電源が供給されて、制御接点ＲＹｃがオン状態となり、試験端子付中継器ＴＣから試験中信号が出力される。
【００６０】
このため、制御接点ＲＹ３が作動して、アドレス受信回路ＡＲが、受信機回線Ｌｒに接続され、住宅用受信機ＨＲが、遠隔試験器ＲＴからのアドレス信号を受信して、住戸アドレスの設定、変更を行うことができる。
即ち、受信機回線Ｌｒを、動作点検時以外の通常時には、火災感知器Ｓからの発報信号の伝送線として使用する一方、動作試験時には、アドレス信号の伝送線として使用する。
【００６１】
この様にして、受信機回線Ｌｒを発報信号の伝送及びアドレス信号の伝送に共用することにより、アドレス伝送用の専用線及び専用端子を設けることなく、遠隔試験器ＲＴから住宅用受信機ＨＲの住戸アドレスを設定することができる。
さらに、請求項１０に記載した本発明による集合住宅火災監視システムについて、図６を用いて説明する。この集合住宅火災監視システムは、遠隔試験器ＲＴのリレー制御回路ＲＣが、火災判断回路ＦＪの判断結果に基づいて、試験端子付中継器ＴＣ内の制御コイルＬｃ及び発光ダイオードＤへの印加電圧を低下させる構成とされる。
【００６２】
動作点検中には、リレー制御回路ＲＣが、制御コイルＬｃ及び発光ダイオードＤに十分な電圧を印加して、制御接点ＲＹａ、ＲＹｂ、ＲＹｃを作動させて、動作点検が行われる。従って、感知器回線Ｌｓと受信機回線Ｌｒとは試験端子付中継器ＴＣ内で切り離され、試験端子付中継器ＴＣからは、試験中信号が出力されている。
【００６３】
しかし、動作点検中に、火災が発生し、火災判断回路ＦＪが、火災発生による発報信号を検知した場合には、リレー制御回路ＲＣが、制御コイルＬｃ及び発光ダイオードＤへの印加電圧を低下させて、制御接点ＲＹａ、ＲＹｂ、ＲＹｃを作動前の状態に戻す。
従って、感知器回線Ｌｓが、受信機回線Ｌｒに接続され、かつ、試験中信号は出力されなくなって、制御接点ＲＹ３が、受信機回線Ｌｒを発報信号受信回路ＤＲに接続する。
【００６４】
即ち、動作点検中に、火災が発生した場合には、受信機回線Ｌｒをアドレス信号伝送用から発報信号伝送用に切り替えることができ、住宅用受信機ＨＲは、火災警報を発報することができる。
【００６５】
【発明の効果】
請求項１に記載した本発明による集合住宅火災監視システムは、遠隔試験器が、火災判断回路及び代替発報回路を備え、火災感知器の動作点検中に、実際の火災が発生し、火災感知器から発報信号が伝送されると、火災判断回路がこれを検出し、この検出結果に基づいて、代替発報回路が住宅用受信機に対して発報信号を送出する。
【００６６】
即ち、住宅用受信機が、感知器回線から電気的に接続されていなくても、火災が発生すれば、遠隔試験器が、火災感知器に代わって発報信号を送出して、発報信号を住宅用受信機へ送信することができる。
従って、火災が発生すれば、住宅用受信機が火災警報を発報する集合住宅火災監視システムを提供することができる。
【００６７】
請求項２に記載した本発明による集合住宅火災監視システムは、火災判断回路が、疑似発報による発報信号と、実際の火災の発生による発報信号とを判別し、実際の火災発生による発報信号であれば、代替発報回路が住宅用受信機に対して発報信号を送出する。
即ち、感知器動作試験回路による火災感知器の動作試験中であっても、実際の火災による発報信号を受信した場合にのみ、住宅用受信機に対して、発報信号を出力する。
【００６８】
従って、動作点検中であっても、火災が発生すれば、住宅用受信機が火災警報を発報する集合住宅火災監視システムを提供することができる。
請求項３に記載した本発明による集合住宅火災監視システムは、遠隔試験器の代替発報回路が、制御接点として構成され、火災判断回路の判断結果に基づいて、受信機回線を短絡する。従って、簡単な回路構成により、動作点検中でも火災が発生すれば、住宅用受信機が火災警報を発報する集合住宅火災監視システムを提供することができる。
【００６９】
請求項４に記載した本発明による集合住宅火災監視システムは、遠隔試験器が上記の火災判断回路及び代替発報回路を備えるとともに、受信機回線のインピーダンスを通常状態、短絡状態又は断線状態とすることができる受信機動作試験回路を備えているため、住宅用受信機の動作点検をも行うことができる。
従って、動作点検中でも火災が発生すれば、住宅用受信機が火災警報を発報し、かつ、住宅用受信機の動作点検を行うことができる集合住宅火災監視システムを提供することができる。
【００７０】
請求項５に記載した本発明による集合住宅火災監視システムは、遠隔試験器が、火災判断回路及び試験中断切替手段を備え、動作点検中に、実際の火災が発生し、火災感知器から発報信号が伝送されると、火災判断回路がこれを検出し、この検出結果に基づいて、試験中断切替手段が、住宅用受信機を感知器回線に接続して、火災感知器からの発報信号を遠隔試験器を介して住宅用受信機に伝送する。
【００７１】
即ち、住宅用受信機が、試験端子付中継器において感知器回線に電気的に接続されていなくても、火災が発生すれば、遠隔試験器において電気的に接続されるため、火災感知器からの発報信号を住宅用受信機へ送信することができる。
従って、火災が発生すれば、住宅用受信機が火災警報を発報する集合住宅火災監視システムを提供することができる。
【００７２】
請求項６に記載した本発明による集合住宅火災監視システムは、火災判断回路が、疑似発報による発報信号と、実際の火災の発生による発報信号とを判別し、実際の火災発生による発報信号であれば、住宅用受信機が、遠隔試験器において電気的に接続される。
即ち、感知器動作試験回路による火災感知器の動作試験中であっても、実際の火災による発報信号を受信した場合にのみ、住宅用受信機が、感知器河川に接続される。
【００７３】
従って、動作点検中であっても、火災が発生すれば、住宅用受信機が火災警報を発報する集合住宅火災監視システムを提供することができる。
請求項７に記載した本発明による集合住宅火災監視システムは、遠隔試験器が、上記の火災判断回路及び試験中断切替手段を備えるとともに、受信機回線のインピーダンスを通常状態、短絡状態又は断線状態とすることができる受信機動作試験回路を備えているため、住宅用受信機の動作点検をも行うことができる。従って、動作点検中でも火災が発生すれば、住宅用受信機が火災警報を発報し、かつ、住宅用受信機の動作点検を行うことができる集合住宅火災監視システムを提供することができる。
【００７４】
請求項８に記載した本発明による集合住宅火災監視システムは、遠隔試験器が、アドレス入力手段及びアドレス送信回路を備え、住宅用受信機が、アドレス受信回路及びアドレス記憶手段を備え、上記アドレス送信回路と上記アドレス受信回路とが試験端子付中継器を介してアドレス伝送専用回線により接続され、遠隔試験器から住宅用受信機のアドレスを設定することができる。
【００７５】
従って、各住宅内に設置された住宅用受信機に対して、遠隔試験器により戸外から住戸アドレスを設定し、或は、変更することができる集合住宅火災監視システムを提供することができる。
請求項９に記載した本発明による集合住宅火災監視システムは、住宅用受信機がアドレス切替手段を備え、住宅用受信機のアドレス受信回路が、遠隔試験器のアドレス送信回路と、アドレス切替手段を介して、発報信号用の受信機回線により接続され、試験中信号の有無により、受信機回線を発報信号伝送用及びアドレス伝送用として共用する。
【００７６】
従って、遠隔試験器、試験端子付中継器及び住宅用受信機にアドレス伝送用端子を備えることなく、また、これらの機器間にアドレス伝送用の専用回線を備えることなく、各住宅内に設置された住宅用受信機に対して、遠隔試験器により戸外から住戸アドレスを設定し、或は、変更することができる集合住宅火災監視システムを提供することができる。
【００７７】
請求項１０に記載した本発明による集合住宅火災監視システムは、遠隔試験器が火災判断回路を備えるとともに、遠隔試験器が試験端子付中継器へ電源を供給し、動作点検中に、実際の火災が発生し、火災判断回路がこれを判別すると、この判別結果に基づいて、試験端子付中継器への電源供給は遮断される。このため、試験端子付中継器から試験中信号が出力されなくなり、アドレス切替手段は、発報信号受信回路を受信機回線へ接続する。
【００７８】
即ち、発報信号用の受信機回線を使用してアドレス信号を伝送し、遠隔試験器から住宅用受信機にアドレスの設定を行うことができ、かつ、アドレス設定中に、火災が発生した場合には、上記受信機回線を発報信号用として使用し、火災感知器からの発報信号を受信した住宅用受信機が発報する。
従って、アドレス伝送専用線を備えることなく、かつ、アドレス設定中も火災警報を発報する集合住宅火災監視システムを提供することができる。
【図面の簡単な説明】
【図１】請求項１、２及び３に記載した本発明による集合住宅火災監視システムの一構成例を示した図である。
【図２】図１に示した集合住宅火災監視システムの動作点検時の構成を簡略化して示した図である。
【図３】請求項４に記載した本発明による集合住宅火災監視システムの一構成例示した図である。
【図４】請求項５、６及び７に記載した本発明による集合住宅火災監視システムの一構成例示した図である。
【図５】請求項８に記載した本発明による集合住宅火災監視システムの一構成例示した図である。
【図６】請求項９に記載した本発明による集合住宅火災監視システムの一構成例示した図である。
【図７】集合住宅火災監視システムの概略を示した図である。
【図８】図７に示した試験端子付中継器の構成例を示した図である。
【図９】図７に示した集合住宅火災監視システムの動作点検時の構成を簡略化して示した図である。
【符号の説明】
Ｓ  ・・・火災感知器
ＨＲ・・・住宅用受信機
Ｌｓ・・・感知器回線
Ｌｒ・・・受信機回線
ＴＣ・・・試験端子付中継器
ＲＴ・・・遠隔試験器
ＥＸｓ・・・感知器動作試験回路
ＥＸｒ・・・受信機動作試験回路
ＦＪ  ・・・火災判断回路
ＲＹ１・・・代替発報回路
ＲＹ２・・・試験中断切替手段
ＡＩ  ・・・アドレス入力手段
ＡＳ  ・・・アドレス送信回路
ＡＲ  ・・・アドレス受信回路
ＡＭ  ・・・アドレス記憶手段
ＤＲ  ・・・発報信号受信回路
ＲＹ３・・・アドレス切替手段
【図１】
0003564818.tif 000002
【図２】
0003564818.tif 000003
【図３】
0003564818.tif 000004
【図４】
0003564818.tif 000005
【図５】
0003564818.tif 000006
【図６】
0003564818.tif 000007
【図７】
0003564818.tif 000008
【図８】
0003564818.tif 000009
【図９】
0003564818.tif 000010